(57)【要約】      （修正有）【課題】シールドによって囲まれたワイヤの電気部品への挿入を助け、挿入中のシールドのずれを防止する装置を提供する。【解決手段】装置２００は、第１端部２４２と第２端部２４４を有する空洞２４０を画定するワイヤレシーバ２２２であって、少なくとも第１端部の一部と第２端部の一部がワイヤ軸を画定し、空洞がワイヤ軸に沿ってワイヤを受容するように構成されている、ワイヤレシーバと、第１端部と第２端部との間に配置されており、かつ、空洞内に受容されたワイヤにシールドを押し付けるため、気流をワイヤ軸に向かって半径方向内側に向けるように構成されている、一又は複数の導管２２６Ａ〜２２６Ｃ・・・とを備える。【選択図】図５
2018139286.tif 000002
【特許請求の範囲】
【請求項１】
シールドによって囲まれたワイヤの電気部品への挿入を助け、前記挿入中のシールドのずれを防止するための装置（２００）であって、
第１端部（２４２）と第２端部（２４４）を有する空洞（２４０）を画定するワイヤレシーバ（２２２）であって、少なくとも前記第１端部の一部と前記第２端部の一部はワイヤ軸（３３０）を画定し、前記空洞は前記ワイヤ軸に沿って前記ワイヤを受容するように構成されている、ワイヤレシーバ（２２２）と、
前記第１端部と前記第２端部との間に配置されており、かつ、前記空洞内に受容された前記ワイヤに前記シールドを押し付けるため、気流を前記ワイヤ軸に向かって半径方向内側に向けるように構成されている、一又は複数の導管（２２６）と
を備える装置（２００）。
【請求項２】
前記一又は複数の導管（２２６）は、前記気流を前記ワイヤの周囲全体に実質的に均等に向けるように構成されている、請求項１に記載の装置（２００）。
【請求項３】
前記一又は複数の導管（２２６）の各々は、
ガス源から加圧ガスを受容するように構成された吸気口（２２４）と、
前記吸気口に流体連結された空気チャネル（２３４）と、
前記空気チャネルに流体接続された排気口（２３８）と
を備える、請求項１又は２に記載の装置（２００）。
【請求項４】
複数の空気チャネル（２３４Ａ〜２３４Ｄ）を更に備え、各空気チャネルは前記吸気口（２２４）と前記排気口（２３８）に流体連結されている、請求項３に記載の装置（２００）。
【請求項５】
前記吸気口（２２４）は、前記ワイヤ軸（３３０）からオフセットされている、請求項３又は４に記載の装置（２００）。
【請求項６】
シールドによって囲まれたワイヤを、前記シールドがずれることなく、電気部品に挿入する方法であって、
前記ワイヤを前記電気部品に向かって延長することと、
前記シールドに半径方向内側に向かう気流を当て、前記ワイヤが前記電気部品に向けて移動される、及び／又は挿入される際に、前記シールドのずれを防ぐことと
を含む方法。
【請求項７】
前記気流は、前記ワイヤの周囲全体に実質的に均等に向けられている、請求項６に記載の方法。
【請求項８】
前記気流は、加圧ガス源から与えられた加圧ガスを含む、請求項６又は７に記載の方法。
【請求項９】
前記シールドに気流を当てることは、前記ワイヤが前記電気部品に挿入される間に、加圧空気を前記電気部品に通すことを含む、請求項６から８のいずれか一項に記載の方法。
【請求項１０】
前記ワイヤはワイヤキャリアによって保持され、前記方法は更に、
前記ワイヤを前記電気部品に挿入する前に、第１のワイヤ処理ステーションに近接した位置まで前記ワイヤキャリアを移動することと、
前記ワイヤを前記電気部品に挿入した後に、異なるワイヤ処理ステーションまで前記ワイヤキャリアを移動することと
を更に含む、請求項６から９のいずれか一項に記載の方法。
【発明の詳細な説明】
【技術分野】
【０００１】
本開示は概してワイヤ処理に関し、より具体的には、例えば、航空機で使用されるワイヤハーネスのワイヤ処理に関する。
【背景技術】
【０００２】
航空機サブシステムで使用されるワイヤハーネスなど、ワイヤハーネスには多くの場合、高い信頼性が必要とされる。このようなハーネスの製造に用いられる生産工程では、高品質なワイヤ、コネクション、及びコネクタなど、高品質な構成要素が利用される。このような高品質な構成要素の組み立ては、不具合を最小限に抑える再現性のある方法で実施されなければならない。このような高い水準はこれまで、航空機ワイヤハーネスの製造には実用的でない自動ワイヤアセンブリシステムに求められてきた。
【発明の概要】
【０００３】
本書ではワイヤ処理のためのシステム及び方法が開示される。特定の実施例では、シールドによって囲まれたワイヤの電気部品への挿入を助け、挿入中のシールドのずれを防止するための装置が開示される。装置は、第１端部と第２端部を含むワイヤチャネルを備えるワイヤレシーバを含み、少なくとも第１端部の一部と第２端部の一部はワイヤ軸を画定し、ワイヤチャネルはワイヤ軸に沿ってワイヤを受容するように構成され、一又は複数の導管が第１端部と第２端部との間に配置され、ワイヤチャネルによって受容されたワイヤにシールドを押しつけるため、気流をワイヤ軸の半径方向内側に向けるように構成されている。
【０００４】
他の特定の実施例では、シールドによって囲まれたワイヤを、シールドがずれることなく、電気部品に挿入する方法が開示される。本方法は、ワイヤを電気部品に向かって延長すること、並びに、シールドに半径方向内側に向かう気流を当て、ワイヤが電気部品に向けて移動される、及び／又は挿入される際に、シールドのずれを防ぐことを含む。
【０００５】
本発明の範囲は、参照によりこの節に組み込まれる請求項によって定義される。当業者は、一又は複数の実装の下記の詳細な説明を検討することによって、本開示のより完全な理解、及びその更なる利点を認識するに至るであろう。これより、まず簡潔に説明される添付の図面を参照する。
【図面の簡単な説明】
【０００６】
【図１】本開示の一実施例による、ワイヤ処理システムの図を示す。
【図２】本開示の一実施例による、気流ベースのワイヤシールド位置決め装置の図を示す。
【図３】本開示の一実施例による、別の気流ベースのワイヤシールド位置決め装置の図を示す。
【図４】本開示の一実施例による、図２の気流ベースのワイヤシールド位置決め装置の切り欠き図を示す。
【図５】本開示の一実施例による、図２の気流ベースのワイヤシールド位置決め装置の別の切り欠き図を示す。
【図６】本開示の一実施例による、図２の気流ベースのワイヤシールド位置決め装置の更なる切り欠き図を示す。
【図７】本開示の一実施例による、気流ベースのワイヤシールド位置決め装置の排気口の切り欠き図を示す。
【図８】本開示の一実施例による、操作中の図３の気流ベースのワイヤシールド位置決め装置の図を示す。
【図９】本開示の一実施例による、気流ベースのワイヤシールド位置決め装置を用いたワイヤ処理を詳述するフロー図である。
【０００７】
本開示の実施例とそれらの利点とは、下記の詳細な説明を参照することにより最もよく理解できる。一又は複数の図面に示された類似の要素を識別するため、類似の参照番号が使用されることを理解されたい。
【発明を実施するための形態】
【０００８】
一又は複数の実施例によるワイヤ処理のためのシステム及び技術が、本書の開示で説明されている。ワイヤ処理システムは、複数の処理ステーション及び一又は複数のワイヤトランスポートを含む。
【０００９】
本書に記載のシステム及び技術は、航空機応用のためのワイヤハーネスの製造におけるワイヤ処理の改良を可能にする。本書に記載のシステム及び技術は、当該ハーネスの製造で一又は複数の個別のステップを実行することによって、当該ワイヤハーネスを製造する複数のステーションを含む。このようなステップの実施例は、ワイヤのコイルを受容すること、所定の領域でのワイヤの被覆を剥ぐこと、被覆を剥いだ領域に電気部品を挿入及び又は配置すること、並びに、被覆を剥いだ領域で電気部品をはんだ付けすることを含む。他の特定の実施例では、ワイヤをコネクタのレセプタクルに挿入すること、ワイヤをコネクタにはんだ付けすること、複数のワイヤを結束すること、及び、一又は複数のワイヤに絶縁材を取り付けることなどの、付加的なステップが製造に含まれる。
【００１０】
本書に記載の特定のステーションは、このようなハーネスの製造で１つのステップ（例えば、所定の領域でワイヤの被覆を剥ぐこと、又は被覆を剥いだ領域の上に電気部品を配置すること）を実行することが可能で、他のステーションは複数の個別のステップ（被覆を剥いだ領域に電気部品を配置すること、及びワイヤに電気部品をはんだ付けすること）を実行することが可能である。
【００１１】
説明されているステーションはモジュラーステーションになりうる。すなわち、ステーションは、ワイヤハーネス製造ステップの要件により、必要に応じて配置されうる。したがって、ワイヤへの２つの電気部品のはんだ付けが必要な場合には、ワイヤへの電気部品のはんだ付けに関わるステップを実行するこのような２つのステーション又はステーションの組がシステムで使用可能である。
【００１２】
例示的な実施例として、このようなワイヤ処理システムは少なくとも、処理のための様々なステーション間でワイヤを受け取り、ワイヤを運ぶワイヤトランスポートを含む。システムは更に、ワイヤトランスポートにワイヤを供給するステーション、ワイヤに電気部品を供給する、及び／又はワイヤ上で電気部品を動かすステーション、ワイヤの被覆を剥いだ部分の上に電気部品を配置するステーション、並びに、電気部品をワイヤにはんだ付けするステーションを含む。他の実施例は、他のステーション又は付加的なステーションを含み、任意の数の方法でステーションを配置することができる。
【００１３】
例示的な実施例として、ワイヤ処理システムを図１に示す。図１は、本開示の一実施例による、ワイヤ処理システムの斜視図を示す。ワイヤ処理システム１００は、第１のステーション１０２、第２のステーション１０４、第３のステーション１０６、第４のステーション１０８、及びワイヤトランスポート１１０Ａを含む。
【００１４】
ステーション１０２〜１０８は、一又は複数の異なる種類のワイヤ処理ステーションを含む。例えば、このようなステーションは、一又は複数の回転ワイヤトランスポートにワイヤを供給し、ワイヤを切断し、ワイヤの被覆を剥ぎ、ワイヤをスライスし、ワイヤをはんだ付けし、ワイヤに一又は複数の構成要素（例えば、はんだスリーブ、コネクタ、プリント基板（ＰＣＢ）、及び／又は他の構成要素）をはんだ付けし、他のワイヤ処理及び／又は製造ステップを実行する。このような特定の実施例では、ワイヤトランスポート１１０は、１つのステーションでワイヤ８５４を受け取り、更に処理を行うため、別のステーションにワイヤ８５４を移動するように構成されている。
【００１５】
ステーション１０２は、ワイヤトランスポート１１０にワイヤ８５４を供給するステーションである。図示した実施例では、ステーション１０２がワイヤトランスポート１１０にワイヤ８５４を供給している。供給されるワイヤ８５４は、ワイヤトランスポート１１０の周囲及び／又は内部に巻かれた状態にあってもよい。特定の実施例では、供給されるワイヤ８５４の少なくとも一部は、ワイヤトランスポート１１０のワイヤ保持トレイ内に保持される。
【００１６】
図示した実施例では、ワイヤトランスポート１１０は次に、更なる処理のために、例えば、ステーション１０４に移動することができる。図示した実施形態では、ワイヤトランスポート１１０がステーション１０２からワイヤを受け取った後、以下で説明されるように、ワイヤトランスポート１１０がステーション１０２からステーション１０４まで移動するように、処理システム１００は組み立てラインとして構成される。
【００１７】
ワイヤトランスポート１１０は次に、ステーション１０４などの別のステーションに移動する。ワイヤトランスポート１１０は、特定の実施例では、一又は複数のレールを介してステーション間で移動する。このように、ワイヤトランスポート１１０は、一又は複数のレールに連結可能で、ワイヤトランスポートの運動を誘導することができる。一又は複数のレールは、ワイヤトランスポートを動かす機構を含むことが可能で、且つ／又は、ワイヤトランスポート自体がステーション間でワイヤトランスポートを移動する機構を含むことが可能である。
【００１８】
図１に示した実施例では、ステーション１０４は、ワイヤ８５４を受け取り、ワイヤ８５４を切断し、及び／又はワイヤ８５４の一部（例えば、絶縁及び／又はシールド部分）の被覆を剥ぐように構成されている。特定の実施例では、ステーション１０４は、ワイヤトランスポート１１０の一又は複数の底部の特徴（ｂｏｔｔｏｍｉｎｇ  ｆｅａｔｕｒｅｓ）に到達（例えば、物理的に接触）し、次にこのような底部の特徴からワイヤ８５４の被覆を剥ぐ領域を決定する機構を含む。このように、特定の実施例では、ステーション１０４の一部は、底部の特徴まで到達し、ワイヤ８５４の切断すべき部分を決定するため底部の特徴に対する位置決めを行い、ワイヤ８５４を切断し、底部の特徴に対するワイヤ８５４の位置に従ってワイヤ８５４の被覆を剥ぐように構成されている。
【００１９】
ワイヤトランスポート１１０は次にステーション１０６まで移動する。このような実施例では、ステーション１０６はワイヤトランスポート１１０を受け取り、電気部品をワイヤ８５４に通すため、及び／又は電気部品をワイヤ８５４の被覆を剥いだ部分の上に配置するため、ワイヤトランスポート１１０のワイヤ８５４をある向きに配置する。電気部品がワイヤの長さに沿って移動できるように、電気部品はワイヤ８５４上に設置される。更なる実施例では、電気部品はワイヤ上にあらかじめ設置されてもよく、手作業で設置されてもよく、別の技術を用いて設置されてもよい。このような実施例では、電気部品は次に、ステーション１０６のワイヤ８５４の被覆を剥いだ部分の上に配置される。
【００２０】
ワイヤトランスポート１１０は次にステーション１０８まで移動する。ステーション１０８は例えば、電気部品をワイヤ８５４の被覆を剥いだ部分の上にはんだ付けするように構成されている。他の特定の実施例では、他のステーションは代替的に又は追加的に、他の動作を実行する（例えば、一又は複数のコネクタをワイヤに連結する、ワイヤを一又は複数の他のワイヤに連結してハーネスを形成する、ワイヤを別のワイヤ又は他の電気部品にはんだ付けする、ステッカーなどの一又は複数の識別構成要素を貼付する、ワイヤの上に設定やその他の識別情報を印刷する、及び／又は他の同様な動作を実行する）。また、他の実施例は、一又は複数のステーション１０２〜１０８を本書に記載の順序とは異なる順序で配置することができる。このような特定の実施例は、より少ないステーション、及び／又は追加のステーションを含むことができる。
【００２１】
特定の実施例では、一又は複数のコントローラ（例えば、コントローラ１１２）は、ワイヤ処理システム１００、及び／又は、一又は複数のシステム、及び／又は、これらのサブシステムの操作を制御するように構成されている。コントローラ１１２は、例えば、シングルコア又はマルチコアプロセッサ、マイクロプロセッサ、マイクロコントローラ、ロジックデバイス、信号処理デバイス、実行可能命令を保存するためのメモリ（例えば、ソフトウェア、ファームウェア、又は他の命令）、及び／又は本書に記載の様々な操作のいずれかを実行する任意の要素を含む。様々な実施例では、コントローラ１１２及び／又はその関連する操作は、単一のデバイスとして、或いはコントローラ１１２を集合的に構成する複数のデバイス（例えば、一又は複数の通信チャネルを経由するなどして、アナログの有線又は無線接続により通信できるよう連結されている）として、実装されうる。
【００２２】
コントローラ１１２は、データ及び情報を保存するための一又は複数のメモリ構成要素又はデバイスを含みうる。メモリは、揮発性及び不揮発性のメモリを含みうる。このようなメモリの例としては、ＲＡＭ（ランダムアクセスメモリ）、ＲＯＭ（読取専用メモリ）、ＥＥＰＲＯＭ（電気的消去可能読取専用メモリ）、フラッシュメモリ、又は別の種類のメモリが挙げられる。特定の実施例では、コントローラ１１２は、本書に記載の様々な方法及びプロセスを実行するため、メモリ内に保存された命令を実行するように適合されうる。
【００２３】
図２は、本開示の一実施例による、気流ベースのワイヤシールド位置決め装置の図を示す。図２に示したワイヤシールド位置決め装置は、電気部品（例えば、はんだスリーブ）を保持し、ワイヤをはんだスリーブの中へ通すことができるように構成されうる。本書に記載の装置、システム及び技術は、ワイヤ（例えば、絶縁材によって囲まれた単一の導体）及び／又はケーブル（例えば、絶縁材によって囲まれた複数の導体）の処理に使用されうる。このようなワイヤ及び／又はケーブルは、絶縁材及び／又はシールドを含みうる。本開示では、一般的に「ワイヤ」と称することを理解されたい。このように、本開示の目的では、「ワイヤ」は、絶縁材及び／又はシールドを有する導体を含む任意の導体、例えば、絶縁材及び／又はシールドを有する単一の導体、或いは、絶縁材及び／又はシールドをそれぞれ有する複数の導体など、を意味しうる。
【００２４】
このようなワイヤは、被覆を剥いだ部分を含みうる。ワイヤは複数の層（例えば、銅部分、銅部分の上で層になったシールド部分、及びシールド部分の上で層になった絶縁材部分）を含みうる。被覆を剥ぐと、シールド部分が露出しうる。従来のワイヤ処理技術では、ワイヤが挿入されると、露出したシールドは電気部品の一部に引っかかることがあり、その結果、製造仕様及び／又は連邦航空局（ＦＡＡ）規格を逸脱する程度までシールドを変形させる。
【００２５】
図２に示したワイヤシールド位置決め装置２００は、ワイヤが電気部品に向けて移動される、及び／又は挿入される際に、ワイヤに向かって気流を送るように構成されている。ワイヤシールド位置決め装置２００からの気流は、（例えば、ワイヤにシールドを押し付ける気流を使用することによって）ワイヤが電気部品に挿入される際に、シールドのずれを防止するため、ワイヤのシールドに当たるように構成されている。したがって、ワイヤが電気部品に挿入されるときに、シールドは引っかかること、及び／又は変形することがない。
【００２６】
図２に示したワイヤシールド位置決め装置２００は、本体２２０を含む。本体２２０は、導管２２６Ａ〜２２６Ｄ、ワイヤレシーバ２２２、及びスタンド２２８を含む。
【００２７】
ワイヤレシーバ２２２は、本体２２０内部に空洞を含みうる。ワイヤレシーバ２２２は、ワイヤが空洞を通過できるようにサイズ決定できるが、電気部品が空洞を通過するのを妨げるようにサイズ決定することができる。特定の実施例では、少なくともワイヤレシーバ２２２の１つの端部は、ワイヤが電気部品に挿入される間に、電気部品を保持するように構成されている。このような端部は電気部品を受容するように成形されうる。加えて、特定の実施例では、空洞の１つに端部又は両端部は、ワイヤのシールドの変形を更に防止するため、面取り及び／又は丸め処理が施されている。
【００２８】
導管２２６Ａ〜２２６Ｄの各々は、少なくとも１つの空気チャネル（図示していないが、図４〜図６には示されている）を含む。空気チャネルは吸気口２２４（例えば、空気などの流体は、吸気口２２４と空気チャネルの間を通過することができる）に流体連結されている。加えて、空気チャネルは一又は複数の排気口（例えば、空気などの流体は、一又は複数の空気チャネルと一又は複数の排気口との間を通過することができる）に流体連結されている。排気口は、気流をワイヤの半径方向内側に向けるように構成されている。したがって、空気は一又は複数の空気チャネルを経由して、一又は複数の吸気口へ流れ込むことができ、次に一又は複数の排気口から出て、ワイヤのシールドの変形を防止するため、ワイヤ（例えば、銅部分）のコア部分にシールドを作用させる、及び／又は押しつける。特定の実施例では、排気口は、ワイヤレシーバ２２２の空洞によって画定された領域、及び／又は空間に空気を流すように構成されている。このような領域及び／又は空間は空洞の端部の間に配置されうる。
【００２９】
ワイヤシールド位置決め装置２００の様々な実施例は、任意の数の吸気口、空気チャネル、及び／又は排気口を含みうる。吸気口はそれぞれ、一又は複数の空気チャネルに流体連結されうる。また、空気チャネルの各々は一又は複数の排気口に流体連結されうる。特定の実施例では、複数の空気チャネルは同一の排気口に流体連結されているが、他の実施例は、異なる排気口に流体連結される複数の空気チャネルに含みうる。様々な実施例では、一又は複数の導管及び／又は排気口は、気流をワイヤの周囲全体に実質的に均等に向けるように構成されている、加えて、複数の空気チャネルを通過する気流の速度が同様になるように、複数の空気チャネルは、実質的に等しい移動距離（例えば、中心線距離）、実質的に等しい断面積、及び／又は実質的に等しい空気チャネル幾何形状を含みうる。
【００３０】
特定の実施例では、個別の空気チャネルに加えて、又は代替的に、導管は、ワイヤレシーバ２２２の全体又は相当な部分の周囲に配置される空気チャネルを含むことができる。このような構造は、排気口を通過してワイヤに至る空気チャンネル内部の空気の実質的に均等な流れを可能にするように構成されている。
【００３１】
導管の他の構成は、代替的に又は追加的に、マニフォールド、プレナム、バッフルなどの他の特徴を含むことができる。このような導管は、ワイヤシールドの変形を防ぐため、ワイヤに気流を提供するように構成されうる。このような特定の実施例は、気流をワイヤの周囲に実質的に均等に供給するように構成されうる。
【００３２】
スタンド２２８は、ワイヤシールド位置決め装置２００が表面（例えば、テーブル）上に配置可能で、表面上に配置したときに水平になるように、構成されている。
【００３３】
図３は、本開示の一実施例による、別の気流ベースのワイヤシールド位置決め装置の図を示す。図３に示したワイヤシールド位置決め装置３００は、本体３２０を含む。本体３２０は導管３２６Ａ〜３２６Ｄ、ワイヤレシーバ３２２、及びスタンド３２８を含む。
【００３４】
導管３２６Ａ〜３２６Ｄ及びスタンド３２８は、ワイヤシールド位置決め装置２００に関して図２に記載の導管２２６Ａ〜２２６Ｄ及びスタンド２２８と同様である。しかしながら、ワイヤシールド位置決め装置３００のワイヤレシーバ３２２は吸気口３２４からオフセットされている。このように、軸３３０は、ワイヤレシーバ３２２の空洞の端部の中心点に接続することによって、画定されている。ワイヤレシーバ３２２は、軸３３０に沿ってワイヤを受容するように構成されている（例えば、軸３３０は、軸３３０に沿って電気部品へ移動及び／又は挿入可能である）。軸３３０が延ばされると、軸３３０は吸気口３２４の任意の部分と、及び／又はワイヤシールド位置決め装置３００の別の部分と交差するように、軸３３０は吸気口３２４からオフセットされている。このように、ワイヤは、吸気口３２４及び／又はワイヤシールド位置決め装置３００の別の部分に影響を及ぼすことなく、ほぼ直線的な方向で電気部品へ移動及び／又は挿入することが可能である。
【００３５】
図４は、本開示の一実施例による、図２の気流ベースのワイヤシールド位置決め装置の切り欠き図を示す。図４は、ワイヤシールド位置決め装置２００の側面切り欠き図を示す。図示のように、導管２２６Ａは空気チャネル２３４Ａを含み、導管２２６Ｃは空気チャネル２３４Ｃを含み、また導管２２６Ｂ及び２２６Ｄ（図示せず）は空気チャネル２３４Ｂ及び２３４Ｄ（図示せず）をそれぞれ含む。
【００３６】
気流は吸気口２２４を介して導管に入り、次に交差部２３２で空気チャネル２３４Ａ〜２３４Ｄに分かれる。このように、単一の吸気口２２４は複数の空気チャネルに流体連結され、空気を複数のチャネルに流し込むことができる。他の特定の実施例は、複数の吸気口を含むことができ、複数の吸気口はそれぞれ、空気を１つの空気チャネル又は複数の空気チャネルに向けることができる。
【００３７】
空気チャネル２３４Ａ〜２３４Ｄはそれぞれ加圧空気を流すように構成されている。特定の実施例では、空気チャネル２３４Ａ〜２３４Ｄは、圧力低下を最小限に抑え、乱流を最小限に抑えるため、実質的に滑らかな流路を含む。加えて、空気チャネル２３４Ａ〜２３４Ｄは、複数の空気チャネルを通過する気流の速度が同様になるように、実質的に等しい移動距離（例えば、中心線距離）、実質的に等しい断面積、及び／又は実質的に等しい空気チャネル幾何形状を含みうる。
【００３８】
空気チャネル２３４Ａ〜２３４Ｄからの気流は次にプレナム２３６に流れ込む。プレナム２３６は複数の空気チャネル２３４Ａ〜２３４Ｄからの気流を混合する。特定の実施例では、プレナム２３６は、気流の構成要素がすべて実質的に同じ方向及び／又は速度で流れるように、複数の空気チャネル２３４Ａ〜２３４Ｄからの気流を混合するように構成されうる。加えて、プレナム２３６は、ワイヤレシーバ２２２の空洞の外側全体又はほぼ全体の周囲に配置されうる。したがって、プレナム２３６は、ワイヤに向けられた気流がワイヤの周囲に実質的に均等になり、ワイヤのシールドの変形及び／又はずれの防止に更に役立つように、様々な空気チャネル２３４Ａ〜２３４Ｄからの気流を調整するように構成されうる。
【００３９】
プレナム２３６からの気流は排気口２３８に向けられる。示した実施例では、排気口２３８は、ワイヤレシーバ２２２の空洞の一部の周囲近辺に配置される。したがって、排気口２３８は、気流をワイヤの一部の周囲のほぼ全体に向ける。特定の実施例では、排気口２３８は、空洞の外周近辺に配置され、気流を半径方向内側の空洞へ向けるように構成されている。
【００４０】
図５は、本開示の一実施例による、図２の気流ベースのワイヤシールド位置決め装置の別の切り欠き図を示す。図５では、ワイヤレシーバ２２２の空洞２４０は、第１端部２４２と第２端部２４４に沿って示されている。第１端部２４２と第２端部２４４の各々は、空洞２４０の内部に通ずる開口である。第１端部２４２は、電気部品が空洞２４０を経由して第１端部２４２から第２端部２４４へ通過するのを防止するため、電気部品を受容し、電気部品を保持するように構成されている。したがって、第１端部２４２の開口はワイヤより大きいが、電気部品よりは小さくなるようにサイズ決定されうる。
【００４１】
第２端部２４４はワイヤを受容するように構成される（例えば、ワイヤは第２端部２４４に挿入可能である）。第１端部２４２及び第２端部２４４の一方又は両方は、ワイヤ周囲のシールドの変形を防止する特徴を含みうる。加えて、排気口２３８の少なくとも一部は、第１端部２４２と第２端部２４４との間に配置され、空気を第１端部２４２と第２端部２４４との間の空洞２４０に流すように構成されている。特定の実施例では、排気口２３８からの気流は、電気部品の一部に流れ込む、及び／又は向けられることが可能で、これにより、ワイヤが電気部品に挿入されたときには、シールドは電気部品の任意の部分に引っかかることはなく、変形すること、及び／又はずれることもない。
【００４２】
図６は、本開示の一実施例による、図２の気流ベースのワイヤシールド位置決め装置の更なる切り欠き図を示す。図６の切り欠き図はプレナム２３６を示している。図示したように、プレナム２３６は空気チャネル２３４Ａ〜２３４Ｄからの気流を受容し、完全な円形形状になっている。図５の図と組み合わせてみると、プレナム２３６は（例えば、空気チャネル２３４Ａ〜２３４Ｄからの気流を受容する大きな直径の断面領域から、排気口２３８の小さな直径の断面領域まで次第に細くなる）漏斗形状で、ワイヤレシーバ２２２の空洞２４０を完全に取り囲む。このような円形漏斗形状により、ワイヤに空気をより均等に供給することができる。
【００４３】
他の実施例では、プレナム２３６、及び／又は空気チャネル、及び一又は複数の排気口は、異なる形状及び容量に構成されうる。このような特定の構造は、場合によっては完全に対称な形状になりうるが、このような構造は、ワイヤの周囲近辺でほぼ均等になるように、ワイヤが電気部品に挿入される前に、及び／又はワイヤが電気部品に挿入される間に、ワイヤに気流を供給するように構成されうる。加えて、例えば、ワイヤレシーバの周囲に対称に配置されていない複数の空気チャネルでは、複数の空気チャネルを通る空気の移動距離は、一様な流れを確保するため等しくなりうる。このような構造は、例えば、ワイヤが電気部品にほぼ直線的な方向で挿入できるように、オフセットされた吸気口（図３に示したように）を含む。
【００４４】
図７は、本開示の一実施例による、気流ベースのワイヤシールド位置決め装置の排気口の切り欠き図を示す。図７は、第１端部２４２と第２端部２４４を有するワイヤレシーバ２２２の空洞２４０を示す。排気口２３８は、空洞２４０を完全に取り囲むプレナム２３６からの気流を受容し、気流を空洞２４０へ向ける。図７に示した実施例は、プレナム２３６と、空洞２４０を完全に取り囲む排気口２３８を含むが、他の実施例は一又は複数のプレナム及び／又は空洞２４０を完全には取り囲んでいない排気口を含みうる。
【００４５】
図示したように、図７はまたフォーム２４８Ａ〜２４８Ｃを示す。プレナム２３６は漏斗形状のため、プレナム２３６は少なくとも外壁と内壁で画定される。フォーム２４８Ａ〜２４８Ｃは外壁と内壁をつなぎ、プレナム２３６でワイヤシールド位置決め装置の本体に機械的剛性をもたらす。フォーム２４８Ａ〜２４８Ｃはまた、排気口２３８を複数の排出口に分割する。複数の排出口は空洞２４０の周囲に均等に配置される。
【００４６】
図８は、本開示の一実施例による、操作中の図３の気流ベースのワイヤシールド位置決め装置の図を示す。図８では、ワイヤレシーバ３２２の第１端部３２４は、電気部品８５２（例えば、はんだスリーブ）を保持する。ワイヤ８５４は最初に、方向８５８に向かってワイヤレシーバ３２２の第２端部（図示せず）に挿入される。ワイヤ８５４は被覆を剥いだ部分８５６を含む。被覆を剥いだ部分８５６は、ワイヤ８５４の露出したシールドを含む。ワイヤ８５４を、ワイヤレシーバ３２２及び／又は電気部品８５２の空洞に向かって動かす／挿入すると、加圧空気は吸気口３２４によって受容され、導管３２６Ａ〜３２６Ｄの空気チャネルを通って流れ、ワイヤシールド位置決め装置３００の一又は複数の排気口によってワイヤに向けられる。ワイヤに向けられた加圧空気は、被覆を剥いだ部分８５６の露出したシールドの変形を防止する。特定の実施例では、導管３２６Ａ〜３２６Ｄ（例えば、導管３２６Ａ〜３２６Ｄの排気口）は、ワイヤが電気部品に挿入される間に、一又は複数の排気口から出た加圧空気が電気部品を通って流れる、及び／又は運ばれるよう方向付けするように構成された特徴を含み、これによって、ワイヤ変形の防止、及び／又は防止に寄与する。
【００４７】
図９は、本開示の一実施例による、気流ベースのワイヤシールド位置決め装置を用いたワイヤ処理を詳述するフロー図である。ブロック９０２では、一又は複数のワイヤを保持するワイヤトランスポートは、第１のワイヤ処理ステーションまで移動される。ワイヤは先行するワイヤ処理ステーションからワイヤトランスポートまで供給され、次にワイヤトランスポートは第１のワイヤ処理ステーションまで移動することができる。第１のワイヤ処理ステーションは、電気部品へのワイヤの挿入を補助するワイヤシールド位置決め装置を含む。
【００４８】
ブロック９０４では、電気部品はワイヤレシーバ（例えば、ワイヤレシーバの第１端部）に連結される。電気部品は、ワイヤレシーバの一又は複数の特徴、及び／又は、第１のワイヤ処理ステーションの一又は複数の特徴を有するワイヤレシーバに対して保持される。
【００４９】
ブロック９１０では、ワイヤが電気製品に向けて移動される、及び／又は挿入される。ワイヤは、ワイヤシールドの一部を露出するように被覆を剥いだ部分を含む。ブロック９１０でワイヤを電気部品に近づける／挿入する前に、及び／又はそれと同時に、加圧ガスはブロック９０６でワイヤシールド位置決め装置の一又は複数吸入口に流れる。加圧ガスはブロック９０８でワイヤシールド位置決め装置を通って流れる（例えば、一又は複数の空気チャネル及び一又は複数の排気口を通って）。
【００５０】
空気が流れているため、ブロック９１２では、ワイヤは電気部品を通過する。ワイヤに対してシールドを押し付けることによってワイヤが移動する際に、気流は、ワイヤの被覆を剥いだ部分の中で露出したシールドがずれるのを防止する。
【００５１】
更に、本開示は、下記の条項による実施形態を含む。
【００５２】
条項１．  シールドによって囲まれたワイヤの電気部品への挿入を助け、前記挿入中のシールドのずれを防止するための装置であって、
第１端部と第２端部を備えるワイヤチャネルを備えるワイヤレシーバであって、少なくとも前記第１端部の一部と前記第２端部の一部はワイヤ軸を画定し、前記ワイヤチャネルは前記ワイヤ軸に沿って前記ワイヤを受容するように構成されている、ワイヤレシーバと、
前記第１端部と前記第２端部との間に配置されており、かつ、前記ワイヤチャネルによって受容された前記ワイヤに前記シールドを押し付けるため、気流を前記ワイヤ軸に向かって半径方向内側に向けるように構成されている、一又は複数の導管と
を備える装置。
【００５３】
条項２．  前記一又は複数の導管は、前記気流を前記ワイヤの周囲全体に実質的に均等に向けるように構成されている、条項１に記載の装置。
【００５４】
条項３．  前記一又は複数の導管の各々は、
ガス源から加圧ガスを受容するように構成された吸気口と、
前記吸気口に流体連結され空気チャネルと、
前記空気チャネルに流体接続された排気口と
を備える、条項１に記載の装置。
【００５５】
条項４．  前記排気口が前記ワイヤチャネルの内周の一部の周囲に少なくとも部分的に配置される、条項３に記載の装置。
【００５６】
条項５．  複数の空気チャネルを更に含み、各空気チャネルは前記吸気口及び前記排気口に流体連結されている、条項３に記載の装置。
【００５７】
条項６．  前記空気チャネルの各々は、前記吸気口に流体連結されたチャネル吸入口、及び前記排気口に流体連結されたチャネル排出口を備え、前記複数の空気チャネルのチャネル排出口は前記ワイヤチャネルの内周の周囲に実質的に均等に配置される、条項５に記載の装置。
【００５８】
条項７．  前記複数の空気チャネルは実質的に等しいチャネル移動距離を含む、条項５に記載の装置。
【００５９】
条項８．  複数の排気口を更に備え、前記複数の排気口は少なくとも１つの空気チャネルに流体連結されている、条項５に記載の装置。
【００６０】
条項９．  前記吸気口は前記ワイヤ軸からオフセットされている、条項３に記載の装置。
【００６１】
条項１０．  前記第１端部は前記電気部品を受容し、前記電気部品が前記第１端部から前記第２端部まで通過するのを防止し、前記ワイヤが前記第２端部から前記第１端部まで通過して前記電気部品に螺入されうるように構成される、条項１に記載の装置。
【００６２】
条項１１．  複数の導管を更に備え、前記複数の導管は前記ワイヤチャネルの内周の周囲に実質的に均等に配置される、条項１に記載の装置。
【００６３】
条項１２．  前記ワイヤチャネルは前記ワイヤを実質的に直線的な配向に保持するように構成されている、条項１に記載の装置。
【００６４】
条項１３．  前記電気部品ははんだスリーブである、条項１に記載の装置。
【００６５】
条項１４．  条項１に記載の装置を備えるシステムであって、
前記装置を備え、前記電気部品を前記ワイヤに通すように構成された第１のワイヤ処理ステーションと、
第２のワイヤ処理ステーションと、
前記ワイヤを搬送し、前記第１のワイヤ処理ステーション及び前記第２のワイヤ処理ステーションに近接した位置まで動かすように構成されたワイヤキャリアと
を備えるシステム。
【００６６】
条項１５．  前記シールドによって囲まれたワイヤを、前記シールドがずれることなく、電気部品に挿入する方法であって、
前記ワイヤを前記電気部品に向かって延長することと、
前記シールドに半径方向内側に向かう気流を当て、前記ワイヤが前記電気部品に向けて移動される、及び／又は挿入される際に、シールドのずれを防ぐことと
を含む方法。
【００６７】
条項１６．  前記気流は、前記ワイヤの周囲全体に実質的に均等に向けられている、条項１５に記載の方法。
【００６８】
条項１７．  前記ワイヤが前記電気部品に向けて移動される、及び／又は挿入されることが可能なように、前記電気部品を第１の位置に保持することを更に含む、条項１５に記載の方法。
【００６９】
条項１８．  前記気流は加圧ガス源から与えられた加圧ガスを含む、条項１５に記載の方法。
【００７０】
条項１９．  前記シールドに気流を当てることは、前記ワイヤが前記電気部品に挿入される間に、加圧空気を前記電気部品に通すことを含む、条項１５に記載の方法。
【００７１】
条項２０．  前記ワイヤはワイヤキャリアによって保持され、前記方法は更に、
前記ワイヤを前記電気部品に挿入する前に、第１のワイヤ処理ステーションに近接した位置まで前記ワイヤキャリアを移動することと、
前記ワイヤを前記電気部品に挿入した後に、前記ワイヤキャリアを異なるワイヤ処理ステーションまで移動することと
を含む、条項１５に記載の方法。
【００７２】
上述の実施例は、本発明を説明するが、本発明を限定するものではない。本発明の原則に従って数多くの修正例及び変形例が可能であることも理解されたい。したがって、本発明の範囲は下記の請求項によってのみ定義される。
【図１】
2018139286.tif 000003
【図２】
2018139286.tif 000004
【図３】
2018139286.tif 000005
【図４】
2018139286.tif 000006
【図５】
2018139286.tif 000007
【図６】
2018139286.tif 000008
【図７】
2018139286.tif 000009
【図８】
2018139286.tif 000010
【図９】
2018139286.tif 000011
【外国語明細書】
2018139286000001.pdf
2018139286000002.pdf
2018139286000003.pdf
2018139286000004.pdf